(57)【特許請求の範囲】
【請求項１】
複数個の薬液バッグを収納し運搬するための箱であって、
箱本体、及び箱本体内で端板にほぼ平行に配置される第１、第２の仕切板を備え、
箱本体は、段ボール紙製の天板、底板、第１及び第２の対をなす側板、並びに第１及び第２の対をなす端板から成り、
第１、第２の仕切板は、その対をなす側縁において、第１貼着部及び第２貼着部に連続し、第１貼着部及び第２貼着部は、それぞれ第１及び第２の側板に強固に貼着され、
第１及び第２の仕切板の間に形成される第１の中間区画及び第１の仕切板と第１の端板の間に形成される第１の側方区画及び第２の仕切板と第２の端板の間に形成される第２の側方区画に薬液バッグがそれぞれ２〜３個収容され、
第１の仕切板、第１の仕切板の第１及び第２の貼着部、第２の仕切板、第２の仕切板の第１及び第２貼着部は、１枚の段ボール紙により形成されるものであり、第１の仕切板の第２の貼着部と第２の仕切板の第２貼着部は、互いに連続して第１の共通貼着部を形成し、天板及び底板を開放し対の側板の間の距離を減少させる力を加えるとき、対の側板、対の端板並びに第１及び及び第２の仕切板は、各貼着部がそれぞれ第１又は第２の側板に貼着された状態のままで、重なり合う平らな板形状に容易に変形されるようになっており、
しかも、各仕切板は、端板の内面寸法とほぼ等しい寸法を有し、各貼着部の深さ寸法は、それぞれ側板内面の深さ寸法より小さく、各貼着部の深さ寸法は各仕切板の深さ寸法よりも小さく、各仕切板は深さ方向において貼着部の両側に張り出すように形成されていることを特徴とする箱。
【請求項２】
第１及び第２の仕切板の間に形成される第１の中間区画に３個の薬剤バッグが収容され、第１の仕切板と第１の端板の間に形成される第１の側方区画及び第２の仕切板と第２の端板の間に形成される第２の側方区画にそれぞれ２個の薬剤バッグが収容されていることを特徴とする請求項１に記載の箱。
【請求項３】
前記箱本体を形成する天板、底板、対をなす側板、及び対をなす端板は、１枚の段ボールにより形成されるものであることを特徴とする請求項１記載の箱。
【請求項４】
前記薬液バッグの各々は、隔壁により仕切られた複数の室を有し、各室に薬剤が収容され、薬液の使用時に薬液バッグが外部から押圧されることにより隔壁が開封され薬剤が混合されるものであることを特徴とする請求項１又は２に記載の箱。
【請求項５】
前記対の端板の各々は、手がかり用の長孔、及び端板の内面に貼着され長孔の内端を覆う薄紙を備えることを特徴とする請求項１乃至３のいずれか１項に記載の箱。
【発明の詳細な説明】
【０００１】
【発明の属する技術分野】
本発明は、複数個の薬液バッグを収納し運搬するための段ボール箱、特に複数の室内に薬剤を収容する高カロリー輸液用製剤の薬液バッグを収納し損傷させること無く運搬するための段ボール箱に関する。
【０００２】
【従来の技術】
医療施設においては、高カロリー薬液、即ち、点滴により静脈に供給され人体に栄養を補給する薬液が多量に使用される。通常、高カロリー薬液は、図７Ａ及び図７Ｂに示すように、重なり合う柔軟なシート８２をサイドシール部８３、ボトムシール部８４により密封し形成した柔軟なバッグ内を隔壁８５により複数の室８６、８７に仕切り、各室に互いに反応し易い薬剤を収容し、使用時にバッグの外部から圧力を加えて隔壁８５を開封し、薬剤を混合させる形態、即ち、使用時混合型薬液バッグ８０の形態を取る。薬液バッグの一方の端に室内から薬液を排出する排出口８８が設けられ、他方の端に懸垂口８９、即ち、バッグを台に吊るすための穴が設けられる。排出口８８の開口部は、ゴム栓９０、キャップ９１、隔膜９２、フイルム９３を備える。この薬液バッグの隔壁８５は、使用時までは開封されず、使用時には簡単に開封されるという相反する条件が要求される。また、薬液バッグ８０は、薬液の変質防止のためにガス遮蔽性能の高いフイルムで包装されるが、使用時までそのフイルムにピンホールが発生しないということも必須条件である。
【０００３】
従来、薬液バッグは、輸送時の圧力や振動により隔壁の開封や包装フイルムにピンホールが生じないように、１個ずつ個箱に収納しそれを外箱に入れて運搬している。また、箱内を仕切板により多数の区画に分けた収納運搬箱は、例えば、特開平１０−１６７３２９号公報、特開平９−３０１３５０号公報、特開平９−５８７６９号公報等により知られている。特開平１０−１６７３２９号公報は、各区画にポケット部を設けて被包装物の耐衝撃性を向上させた箱を示す。特開平９−３０１３５０号公報は、箱本体と箱本体から独立させた仕切り体を組み合わせた箱を示す。特開平９−５８７６９号公報は、箱本体と箱本体から独立させた特種な仕切り体を組み合わせた箱を示す。
【０００４】
【発明が解決しようとする課題】
従来の薬液バッグを１個ずつ個箱に収納しそれを外箱に入れる包装形態については、次のような問題がある。即ち、医療施設等の使用者側の問題点として、使用後その個箱は、廃棄されるが、（１）廃棄のため個箱を潰し平らな段ボールシートにする手間がかかり、（２）段ボールシートの保管スペースが必要であり、（３）廃棄は、業者引き取りとなるが、そのコストがかかる。また、薬液バッグの製造においても、（４）個箱のコストがかかり、（５）個箱を扱うスペースが必要である。更に、全体的問題として、個箱は、段ボール紙資源を使うから、そのために環境負荷が増える。
【０００５】
本発明の目的は、従来の問題点を解消した薬液バッグ収納運搬箱を提供することにあり、複数の薬液バッグを個箱を使用することなく収納し、輸送中に薬液バッグに隔壁を破損させるような力や振動が加わらない薬液収納運搬箱を提供することである。本発明の別の目的は、段ボール箱内を仕切板により区画し、各区画に少数の薬液バッグを収納可能とし、仕切板は、薬液バッグにより生じる力に抗し移動しないように強固に固着すると共に、薬液バッグを取り出した後は、仕切板を外すことなく、箱をシート状態に重なり合う平らな板形状に容易に変形され、廃棄の手数を少なくした薬液バッグ収納運搬箱を提供することである。
【０００６】
本発明の更に別の目的は、仕切板及び貼着部を一体の段ボール紙とし、貼着部を仕切板の１対の側縁に連続し且つ仕切板に対し折り曲げることにより、仕切板を強固に貼着でき製造コストを小さくすることができる薬液バッグ収納運搬箱を提供することである。本発明の更に別の目的は、仕切板及び貼着部を一体の段ボール紙とすることにより、仕切板を強固に貼着でき製造コストを小さくすることができる薬液バッグ収納運搬箱を提供することである。本発明の更に別の目的は、手がかり用の長孔を通して収容された薬液バッグが損傷されないように長孔の内端を覆う薄紙を備える薬液バッグ収納運搬箱を提供することである。本発明のその他の目的は、発明の実施の形態の説明及び図面から明瞭にされる。
【０００７】
【課題を解決するための手段】
本発明の複数個の薬液バッグを収納し運搬するための箱は、箱本体、及び箱本体内で端板にほぼ平行に配置される第１、第２の仕切板を備え、箱本体は、段ボール紙製の天板、底板、第１及び第２の対をなす側板、並びに第１及び第２の対をなす端板から成り、第１、第２の仕切板は、その対をなす側縁において、第１貼着部及び第２貼着部に連続し、第１貼着部及び第２貼着部は、それぞれ第１及び第２の側板に強固に貼着され、第１及び第２の仕切板の間に形成される第１の中間区画及び第１の仕切板と第１の端板の間に形成される第１の側方区画及び第２の仕切板と第２の端板の間に形成される第２の側方区画に薬液バッグがそれぞれ２〜３個収容され、第１の仕切板、第１の仕切板の第１及び第２の貼着部、第２の仕切板、第２の仕切板の第１及び第２貼着部は、１枚の段ボール紙により形成されるものであり、第１の仕切板の第２の貼着部と第２の仕切板の第２貼着部は、互いに連続して第１の共通貼着部を形成し、天板及び底板を開放し対の側板の間の距離を減少させる力を加えるとき、対の側板、対の端板並びに第１及び及び第２の仕切板は、各貼着部がそれぞれ第１又は第２の側板に貼着された状態のままで、重なり合う平らな板形状に容易に変形されるようになっており、しかも、各仕切板は、端板の内面寸法とほぼ等しい寸法を有し、各貼着部の深さ寸法は、それぞれ側板内面の深さ寸法より小さく、各貼着部の深さ寸法は各仕切板の深さ寸法よりも小さく、各仕切板は深さ方向において貼着部の両側に張り出すように形成されている。
本発明の収納運搬箱は、次の構成を有することができる。
（ａ）第１及び第２の仕切板の間に形成される第１の中間区画に３個の薬剤バッグが収容され、第１の仕切板と第１の端板の間に形成される第１の側方区画及び第２の仕切板と第２の端板の間に形成される第２の側方区画にそれぞれ２個の薬剤バッグが収容されている。
（ｂ）前記箱本体を形成する天板、底板、対をなす側板、及び対をなす端板は、１枚の段ボールにより形成されるものである。
（ｃ）前記薬液バッグの各々は、隔壁により仕切られた複数の室を有し、各室に薬剤が収容され、薬液の使用時に薬液バッグが外部から押圧されることにより隔壁が開封され薬剤が混合されるものである。
（ｄ）前記対の端板の各々は、手がかり用の長孔、及び端板の内面に貼着され長孔の内端を覆う薄紙を備える。
【０００８】
本発明の収納運搬箱は、次の構成を有することができる。（ａ）第１の仕切板と第１の端板の間に形成される第１の側方区画に２個の薬液バッグが収容され、第１の仕切板と第２の端板の間に形成される第２の側方区画に３個の薬剤バッグが収容される。（ｂ）箱本体を形成する天板、底板、対の側板、及び対の端板は、１枚の段ボールにより形成されるものである。（ｃ）第１の仕切板は、対の端板の内面寸法とほぼ等しい寸法を有し、第１及び第２貼着部の各深さ寸法は、それぞれ側板内面の深さ寸法より小さい。（ｄ）第１の仕切板と第１の端板の間に形成される第１の区画及び第１の仕切板と第２の端板の間に形成される第２の区画にそれぞれ同数個の薬剤バッグが収容される。
【００１４】
【発明の実施の態様】
図１は、本発明の実施例の薬液バッグ収納運搬箱８を示す斜視図である。図２は、実施例の７個入り薬液バッグ収納運搬箱８に薬液バッグ８０を７個収容し一杯にした状態を示す箱の上面図であり、天板は除かれている。図１乃至図３Ｂに示すように、複数個の薬液バッグ８０を収納し運搬するための箱８は、箱本体１０、及び箱本体内で端板２２、２４にほぼ平行に配置される第１の仕切板３２及び第２の仕切板４２を備える。箱本体１０は、段ボール紙製の天板１２、底板１４、第１及び第２の対をなす側板１６、１８、並びに第１及び第２の対をなす端板２２、２４から成る。第１の仕切板３２は、その対をなす側縁３１、３３において、第１貼着部３４及び第２貼着部３６に連続する。第１貼着部３４及び第２貼着部３６は、それぞれ第１及び第２の側板１６、１８に接着剤等により強固に貼着される
【００１５】
第２の仕切板４２は、その対をなす側縁４１、４３において、第１貼着部４４及び第２貼着部４６に連続する。第２の仕切板４２の第１貼着部４４及び第２貼着部４６は、第１の側板１６及び第２の側板１８に接着剤により強固に貼着される。図３Ａの展開図に明瞭に示すように、箱本体を形成する天板１２、底板１４、第１及び第２の対をなす側板１６、１８、並びに第１及び第２の対をなす端板２２、２４は、１枚の段ボール紙から成るものである。また、図３Ｂの展開図に明瞭に示すように、第１の仕切板３２、第１の仕切板の第１及び第２の貼着部３４、３６、第２の仕切板４２、第２の仕切板の第１及び第２貼着部４４、４６は、１枚の段ボール紙により形成される。
【００１６】
第１の仕切板３２の第２の貼着部３６と第２の仕切板４２の第２貼着部４６は、互いに連続して第１の共通貼着部を形成する。第１の仕切板３２の各側縁３１、３３及び第２の仕切板４２の各側縁４１、４３は、各貼着部が側面に強固に貼着されに、収容される薬液バッグにより生じる力に抗して、それぞれ第１及び第２の側板の所定位置からほとんど移動することがない。また、側板に直角に配置された仕切板を箱内に設けたことにより、箱が垂直方向の圧縮力に対し丈夫になり、箱を重ねた場合にも箱の変形や潰れが生じにくい。図１及び図３Ａに示すように、対をなす端板２２、２４の上方中央部に手掛かり用の長孔２１、２５が設けられ、長孔２１、２５の箱内部側を覆う薄板２３、２７が配置される。薄板２３、２７は、長孔２１、２５の周囲において、端板２２、２４にそれぞれ貼着される。薄板２３、２７は、箱を持ち運ぶとき、長孔２１、２５を介し、指により箱内の薬液バッグが損傷されることを防止する。
【００１７】
第１の仕切板３２の各側縁３１、３３及び第２の仕切板４２の各側縁４１、４３がそれぞれ第１及び第２の側板の所定位置からほとんど移動しない故に、図２に示すように箱内に収容された７個の薬液バッグ８０には、それぞれほぼ同一区画内の薬液バッグにより生じる力が働くだけとすることができる。従って、薬液バッグの隔壁の開放を生じたり、薬液バッグの包装フイルムにピンホールを生じるような力が薬液バッグに作用することが防止される。また、各薬液バッグを個箱に入れることが不要となり、個箱を使用することに伴う前述の問題を解消することができる。
【００１８】
図１〜図４の実施例において、第１の仕切板３２及び第２の仕切板４２は、箱８の端板２２、２４にほぼ平行に配置され、第１の仕切板３２及び第２の仕切板４２は、対をなす側板１６、１８に強固に貼着される貼着部に対し、側縁に沿って容易に折り曲げられる。そのような構造である故に、図４に示すように、この実施例の箱８は、箱を押し潰すため、天板１２及び底板１４を開放し対の側板１６、１８の間の距離を減少させる力（図４、矢印Ｆ）を加えるとき、対の側板１６、１８、対の端板２２、２４並びに第１及び及び第２の仕切板３２、４２は、各貼着部３４、３６、４４がそれぞれ第１又は第２の側板１６、１８に貼着された状態のままで、重なり合う平らな板形状に容易に変形される。それ故、使用後の箱８の体積を減少させることが、看護婦によって、容易に行うことができ、箱に占有されるスペースを小さくすることができ、空箱の廃棄も容易である。
【００１９】
第１の仕切板３２は、対の端板１６、１８の内面寸法とほぼ等しい寸法を有し、第１及び第２貼着部３４、３６の各深さ寸法ｄ1、ｄ2（図３Ｂ）は、それぞれ側板内面の深さ寸法Ｄ（図３Ａ）より小さくされる。これにより、第１及び第２貼着部が多少の位置ずれが生じて貼着される場合においても、第１及び第２貼着部３４、３６が側板１６、１８の上端を越えて上方へ突出したり、逆に側板の下端を越えて下方へ突出したりすることが容易に防止され、箱本体の組立等に支障が生じない。薬液バッグ収納運搬箱が高カロリー溶液用のものであるとき、ｄ1、ｄ2は、例えば、２２３ｍｍ、Ｄは、例えば、２５１ｍｍである。また、箱の長さＷ（図３）は、例えば、４３９ｍｍ、奥行きＴ（図３）は、例えば、２１３ｍｍであり、第１の仕切板の第１の貼着部３４の長さＵは、例えば、１２４ｍｍである。
【００２０】
図２に示すように、第１の実施例の薬液収納運搬箱８において、第１の仕切板３２と第１の端板２２との間に形成される第１の側方区画及び第２の仕切板と第２の端板の間に形成される第２の側方区画に、それぞれ２個の薬剤バッグが収容される。また、第１の仕切板３２と第２の仕切板４２との間に形成される中央区画に、３個の薬液バッグが収納される。薬液バッグが点滴により人体に供給される高カロリー薬液の場合、１個が約１ｋｇのものが多く、この場合、７個の薬液バッグが収容されると薬液収納運搬箱の全重量は、ほぼ７ｋｇとなる。７ｋｇは、看護婦が頻繁に扱う場合の限度といえる重さである故に、高カロリー薬液の収納運搬箱では、７個入りのものが多く使用される。
【００２１】
図５は、本発明の第１参考例の薬液バッグ収納運搬箱の上面図であり、薬液バッグ８０が８個収納され、天板は、描かれていない。図５の箱は、第１の仕切板３２、第２の仕切板４２に加えて、第３の仕切板５２を備え、第３の仕切板５２は、その対をなす側縁５１、５３において、第１貼着部５４及び第２貼着部５６にそれぞれ連続する。第３の仕切板５２の第１貼着部５４及び第２貼着部５６は、第１及び第２の側板１６、１８に接着剤により強固に貼着される。第１の仕切板３２、第１の仕切板の第１及び第２の貼着部３４、３６、第２の仕切板４２、第２の仕切板の第１及び第２貼着部４４、４６、第３の仕切板５２、第３の仕切板の第１及び第２貼着部５４、５６は、１枚の段ボール紙により形成されるものである。第２の仕切板４２の第１の貼着部４４と第３の仕切板５６の第１貼着部５４は、互いに連続して第２の共通貼着部を形成する。
【００２２】
薬液バッグを収納した収納運搬箱を運搬するとき、各仕切板の各側縁は、薬液バッグ８０により生じる力に抗してそれぞれ第１及び第２の側板１６、１８の所定位置からほとんど移動することがなく、収納された薬液バッグ８０は、大きな衝撃や荷重を受けないから、その隔壁が開封されることがなく、また薬液バッグにピンホールは発生しない。
【００２３】
また、薬液バッグを箱内から全部取り出した後、箱を廃棄しようとするとき、箱本体の天板及び底板を開放し対の側板１６、１８の間の距離を減少させる力（図４矢印Ｆ）を箱本体に加えると、対の側板１６、１８、対の端板２２、２４、並びに第１乃至第３の仕切板３２、４２、５２は、図４の場合と同様に、各貼着部がそれぞれ第１又は第２の側板に貼着された状態のままで、重なり合う平らな板形状に容易に変形される。
【００２４】
図６は、本発明の第２参考例の薬液バッグ収納運搬箱の上面図であり、薬液バッグ８０が箱内に５個収納され、天板は、描かれていない。図６の箱は、第１の仕切板３２（１枚）のみを備える。第１の仕切板３２は、その対をなす側縁３１、３３において、第１貼着部３４及び第２貼着部３６に連続する。第１貼着部３４及び第２貼着部３６は、それぞれ第１及び第２の側板１６、１８に接着剤等により強固に貼着される。天板、底板、端板、及び側面から成る箱本体、並びに第１の仕切板及びその貼着部が、それぞれ１枚の段ボール紙により構成される点は、実施例及び第１参考例と同様である。また、第１の仕切板の各側縁は、薬液バッグ８０により生じる力に抗してそれぞれ第１及び第２の側板１６、１８の所定位置からほとんど移動することがないから、収納された薬液バッグ８０は、大きな衝撃や荷重を受けないから、その隔壁が開封されることがなく、また薬液バッグにピンホールは発生しないことも同様である。
【図面の簡単な説明】
【図１】  本発明の実施例の薬液バッグ収納運搬箱を示す斜視図。
【図２】  実施例の薬液バッグ収納運搬箱の薬液バッグを収容した状態を天板を除いて示す箱の上面図。
【図３】  図３Ａは、実施例の箱本体を形成する１枚の段ボール紙の展開図であり、図３Ｂは、実施例の１枚の段ボール紙からなる２枚の仕切板及び貼着部の展開図である。
【図４】  本発明の実施例薬液バッグ収納運搬箱を空にし側板の両側から押圧力を加え、仕切板を取り外すことなく箱本体及び仕切板を重なり合う平らな板形状に変形している状態を天板を除いて示す箱の上面図。
【図５】  本発明の第１参考例の薬液バッグ収納運搬箱の薬液バッグを収容した状態を天板を除いて示す上面図。
【図６】  本発明の第２参考例の薬液バッグ収納運搬箱の薬液バッグを収容した状態を天板を除いて示す上面図。
【図７】  図７Ａは、典型的な２液分離型の薬液バッグの側面図、図７Ｂは、図７Ａの線Ｘ−Ｘにおける断面図である。
【符号の説明】
８：薬液収納運搬箱、１０：箱本体、１２：天板、１４：底板、１６、１８：側板、２１、２５：長孔、２２、２４：端板、２３、２７：薄板、３１、３３：側縁、３２：第１の仕切板、３４：第１の貼着部、３６：第２貼着部、４１、４３：側縁、４２：第２の仕切板、４４：第１の貼着部、４６：第２貼着部、５１、５３：側縁、５２：第３の仕切板、５４：第１の貼着部、５６：第２貼着部、８０：薬液バッグ、８５：隔壁、８６、８７：室、９０：ゴム栓、９１：キャップ。
【図１】
0004182570.tif 000002
【図２】
0004182570.tif 000003
【図３】
0004182570.tif 000004
【図４】
0004182570.tif 000005
【図５】
0004182570.tif 000006
【図６】
0004182570.tif 000007
【図７】
0004182570.tif 000008